(57)【要約】【課題】書込装置から画像表示装置への信号伝送を安定に行えるようにした接続構造、画像表示装置及び画像表示システムを提供する。【解決手段】画像書き込み時に書込装置２に接続される画像表示装置１は、電気的に画像の書き換えができると共に書き込まれた画像を電源オフ後も保持するシート状表示媒体を有すると共に、書込装置２の送信部２４からの信号を誘導結合により受信する受信回路３１、受信回路３１の表面に順次設けられた保護層３２及び撥水膜３３を備える。保護層３２及び撥水膜３３により、送信部２４と受信回路３１との距離が一定に保たれるため、信号伝送を安定にすることができる。【選択図】図３
2008083382.tif 000002
【特許請求の範囲】
【請求項１】
書込装置側に設けられて信号を送信する送信部と、
前記信号の受信時に、前記送信部の信号放射面に接触する保護層及び前記保護層を介して非導通により前記信号を受信し、表示媒体に供給する受信回路を有する受信部とを具備することを特徴とする接続構造。
【請求項２】
前記保護層は、ゴム系の材料からなることを特徴とする請求項１に記載の接続構造。
【請求項３】
前記保護層は、ＰＤＭＳ（ポリジメチルシロキサン）からなる層であることを特徴とする請求項１に記載の接続構造。
【請求項４】
前記保護層は、撥水膜で被覆されていることを特徴とする請求項１乃至３のいずれか１項に記載の接続構造。
【請求項５】
前記撥水膜は、アモルファスフッ素樹脂からなる膜であることを特徴とする請求項４に記載の接続構造。
【請求項６】
前記送信部は、複数の信号を個別に処理する複数の送信回路と、
前記複数の送信回路のそれぞれに接続された複数の送信コイルとを有することを特徴とする請求項１に記載の接続構造。
【請求項７】
前記送信部は、複数の信号を個別に処理する複数の送信回路と、
前記複数の送信回路のそれぞれに接続された複数の送信用電極とを有することを特徴とする請求項１に記載の接続構造。
【請求項８】
前記受信回路は、前記書込装置からの複数の信号を電磁誘導により前記信号毎に受信する複数の受信コイルと、
前記複数のコイルによる受信信号を個別に増幅する複数の増幅器とを有することを特徴とする請求項１に記載の接続構造。
【請求項９】
前記受信回路は、前記書込装置からの複数の信号を静電結合により前記信号毎に受信する複数の受信用電極と、
前記複数の電極による受信信号を個別に増幅する複数の増幅器とを有することを特徴とする請求項１に記載の接続構造。
【請求項１０】
表示媒体と、
書込装置から非接触で受信した信号を表示媒体に供給する受信回路及び前記受信回路の表面を覆う保護層を有する受信部とを備えたことを特徴とする画像表示装置。
【請求項１１】
請求項１０に記載の画像表示装置と、
前記画像表示装置の前記受信回路に送信部を電磁誘導又は静電結合させて、前記信号を前記画像表示装置へ送信する書込装置とを有することを特徴とする画像表示システム。
【発明の詳細な説明】
【技術分野】
【０００１】
本発明は、表示媒体と書込装置を電気的に接続する接続構造、ならびに該接続構造を介して表示媒体に画像の書き込み等を行う画像表示装置及び画像表示システムに関する。
【背景技術】
【０００２】
近年、持ち運びが可能な表示媒体に電子的に静止画像、イラスト、文字等の画像を記憶させて、印刷した紙と同様に用いることができ、かつ、記憶／消去が何度も行える電子ペーパが注目されている。このような電子ペーパは、書込装置等にケーブル及びコネクタにより電気的に接続した状態で、画像の書き込みや消去が行われる。
【０００３】
しかし、コネクタで接続を行った場合、電極の酸化や腐食により、接続不良が生じやすくなる。また、接点数が増加してくると、電極面積が小さくなり、塵などの付着物により接触不良が生じやすくなる。
【０００４】
そこで、接触を伴わない接続方法が考えられる。例えば、送信側コイルと受信側コイルを同心円状に配置して誘導結合させ、無線により信号を伝送し（例えば、特許文献１参照）、或いは、送信機パッドと受信機パッドとの間に距離を設けて対向配置し、パッド間の容量結合により信号を伝送する方法が知られている（例えば、特許文献２参照）。
【特許文献１】特開２００５−２２８９８１号公報
【特許文献２】特開２００５−５３５１１６号公報
【発明の開示】
【発明が解決しようとする課題】
【０００５】
本発明の目的は、書込装置から画像表示装置への信号伝送を安定に行えるようにした接続構造、画像表示装置及び画像表示システムを提供することにある。
【課題を解決するための手段】
【０００６】
本発明の一態様は、上記目的を達成するため、以下の接続構造、画像表示装置及び画像表示システムを提供する。
【０００７】
［１］書込装置側に設けられて信号を送信する送信部と、前記信号の受信時に、前記送信部の信号放射面に接触する保護層及び前記保護層を介して非導通により前記信号を受信し、表示媒体に供給する受信回路を有する受信部とを具備することを特徴とする接続構造。
【０００８】
［２］前記保護層は、ゴム系の材料からなることを特徴とする［１］に記載の画像表示装置。
【０００９】
［３］前記保護層は、ＰＤＭＳ（ポリジメチルシロキサン）からなる層であることを特徴とする［１］に記載の接続構造。
【００１０】
［４］前記保護層は、撥水膜で被覆されていることを特徴とする［１］乃至［３］のいずれか１に記載の接続構造。
【００１１】
［５］前記撥水膜は、アモルファスフッ素樹脂からなる膜であることを特徴とする［４］に記載の接続構造。
【００１２】
［６］前記送信部は、複数の信号を個別に処理する複数の送信回路と、前記複数の送信回路のそれぞれに接続された複数の送信コイルとを有することを特徴とする［１］に記載の接続構造。
【００１３】
［７］前記送信部は、複数の信号を個別に処理する複数の送信回路と、前記複数の送信回路のそれぞれに接続された複数の送信用電極とを有することを特徴とする［１］に記載の接続構造。
【００１４】
［８］前記受信回路は、前記書込装置からの複数の信号を電磁誘導により前記信号毎に受信する複数のコイルと、前記コイルによる受信信号を増幅する増幅器とを有することを特徴とする［１］に記載の接続構造。
【００１５】
［９］前記受信回路は、前記書込装置からの複数の信号を静電結合により前記信号毎に受信する複数の電極と、前記電極による受信信号を増幅する増幅器とを有することを特徴とする［１］に記載の接続構造。
【００１６】
［１０］表示媒体と、書込装置から非接触で受信した信号を表示媒体に供給する受信回路及び前記受信回路の表面を覆う保護層を有する受信部とを備えたことを特徴とする画像表示装置。
【００１７】
［１１］上記［１０］に記載の画像表示装置と、前記画像表示装置の前記受信回路に送信部を電磁誘導又は静電結合させて、前記信号を前記画像表示装置へ送信する書込装置とを有することを特徴とする画像表示システム。
【発明の効果】
【００１８】
請求項１の接続構造によれば、保護層により送信部と受信部間の距離が一定になり、これにより信号伝送を安定にすることができる。
【００１９】
請求項２の接続構造によれば、材料を広範囲から選択することができる。
請求項３の接続構造によれば、ＰＤＭＳにより、電極パッドに対する密着性、弾力性、高絶縁性等が得られる。
請求項４，５の接続構造によれば、塵等の付着を防止することができる。
請求項６〜９の接続構造によれば、非導通により信号を伝送することができる。
【００２０】
請求項１０の画像表示装置によれば、書込装置と画像表示装置の信号伝送を非導通により安定に行うことができる。
【００２１】
請求項１１の画像表示システムによれば、書込装置から画像表示装置への信号伝送を非導通により安定に行うことができる。
【発明を実施するための最良の形態】
【００２２】
［第１の実施の形態］
（画像表示システムの構成）
図１は、本発明の実施の形態に係る画像表示システムを示す。この画像表示システム１０は、画像表示装置１と、画像表示装置１に情報の書き込みを行う書込装置２を備えて構成されている。
【００２３】
（画像表示装置の構成）
画像表示装置１は、それぞれ負に帯電した白色粒子群および正に帯電した黒色粒子群が封入された複数のセル１５を縦横に配列し、セル１５毎に画素が形成されるようにしたトナー方式のシート状表示媒体１１と、行電極に電圧を印加する行電極駆動回路１２と、列電極に電圧を印加する列電極駆動回路１３と、書込装置２から信号を受信する受信部１４とを備えて構成されている。
【００２４】
行電極駆動回路１２は、駆動制御部２２からのタイミング信号および選択信号に基づいて対応する行電極に電源回路２３から供給された電圧を印加する回路であり、１又は複数の駆動ＩＣにより構造することができる。
【００２５】
列電極駆動回路１３は、駆動制御部２２からのタイミング信号および画像信号に基づいて対応する列電極に電源回路２３から供給された電圧を印加する回路であり、１又は複数の駆動ＩＣにより構造することができる。
【００２６】
受信部１４は、書込装置２から非接触により信号を受信する回路により構成されている。
【００２７】
（書込装置の構成）
書込装置２は、シート状表示媒体１１に書き込む画像データを記憶している画像記憶部２１と、画像記憶部２１に記憶されている画像データに基づいて行電極駆動回路１２及び列電極駆動回路１３を制御して画像表示装置１への表示制御を行う駆動制御部２２と、画像表示装置１の行電極駆動回路１２及び列電極駆動回路１３に電源を供給する電源回路２３と、駆動制御部２２から画像表示装置１への信号を電磁誘導により出力する送信部２４とを備えて構成されている。なお、電源回路２３と画像表示装置１との接続は、図示しないコネクタ等を介して接続される。
【００２８】
画像記憶部２１は、半導体メモリ、ハードディスク（ＨＤ）等により構成されている。
【００２９】
駆動制御部２２は、ＣＰＵ，ＲＯＭ，ＲＡＭ、タイミング信号発生回路等を備えて構成されている。ＣＰＵは、ＲＯＭに格納された制御プログラムに従って行電極駆動回路１２及び列電極駆動回路１３を制御し、画像記憶部２１からの画像データに基づいて画素に対応する電極間に電圧を印加するように構成されている。なお、画像記憶部２１は、ＣＤ−ＲＯＭや書換え可能なフラッシュメモリ等の記録媒体、あるいはＬＡＮ（Local Area Network）等のネットワークを介して画像データを入力してもよい。
【００３０】
電源回路２３は、初期化を行うときは、第１の交番電圧（例えば、２００Ｈｚ〜１０ｋＨｚ、±２００Ｖ）を発生し、画像表示装置１の背面基板の色表示を行うときは、第２の交番電圧（例えば、２００Ｈｚ、±２００Ｖ）を発生し、白色粒子および黒色粒子による色表示を行うときは、直流電圧を発生する回路である。
【００３１】
第１の交番電圧は、全画素に印加して白色粒子群を一方の基板側に、黒色粒子群を他方の基板側に付着させるために用いられる。第２の交番電圧は、背面基板の着色層の色を表示したい画素に印加し、その画素に存在する粒子を周辺の画素に移動させるために用いられる。直流電圧は、例えば、＋２００Ｖ又は−２００Ｖを印加して白色粒子と黒色粒子を用いて２色表示を行う際に用いられる。
【００３２】
送信部２４は、受信部１４に対向配置され、駆動制御部２２からの信号を電磁誘導により受信部１４へ放射するように構成されている。
【００３３】
（シート状表示媒体の構成）
図２は、シート状表示媒体を示す。シート状表示媒体１１は、透光性を有する表面基板１６と、背面基板１７と、表面基板１６と背面基板１７とを対向させて保持するとともに、基板１６，１７間の空間を基板１６，１７に平行な方向に仕切って複数のセル１５を形成する熱硬化性樹脂、熱可塑性樹脂、電子線硬化樹脂、光硬化性樹脂、ゴム等の絶縁性材料からなる仕切り部材１８と、セル１５に封入された帯電特性が異なる白色粒子１９Ａおよび黒色粒子１９Ｂからなる２つの粒子群とを有して構成され、仕切り部材１８の先端面と表面基板１６とは、図２に示すように、接着層２０により接合している。
【００３４】
表面基板１６は、透明ガラス基板等からなる表面基板部材１６１と、表面基板部材１６１上に形成されたインジウム錫酸化物（ＩＴＯ）等からなる透明な複数の帯状の列電極１６２と、列電極１６２を保護するとともに粒子１９Ａ，１９Ｂの帯電特性を安定化させるポリカーボネート等からなる誘電体膜１６３とを積層して構成されている。
【００３５】
背面基板１７は、エポキシ樹脂等からなる背面基板部材１７１と、背面基板部材１７１上に形成された銅等からなる複数の帯状の行電極１７２と、行電極１７２を保護するとともに粒子１９Ａ，１９Ｂの帯電特性を安定化させるポリカーボネート等からなる誘電体膜１７３とを積層して構成されている。
【００３６】
（受信部及び送信部の構成）
図３は、受信部及び送信部の概略を示す。受信部１４は、ＩＣ化されている受信回路３１と、受信回路３１の表面を被覆する保護層３２と、保護層３２の表面を被覆する撥水膜３３とを備えて構成されている。
【００３７】
保護層３２は、ＰＤＭＳ（Polydimethylsiloxane：ポリジメチルシロキサン）、天然ゴム、スチレンゴム、ブチルゴム、ニトリルゴム、クロロプレンゴム、エチレン・プロピレンゴム、クロロスルフォン化ポリエチレンゴム、アクリルゴム、ウレタンゴム、シリコンゴム、フッ素ゴム、パーフロロエラストマー等からなる層である。厚さは、例えば、１００μｍとするが、好適には１００μｍ以上である。また、ゴム硬度は、２０〜９０°Ｈｓが望ましい。なお、フッ素を含有するフッ素ゴム及びパーフロロエラストマーを用いた場合、撥水膜３３は不要である。
【００３８】
本実施の形態では、保護層３２として、無色透明で、基板等との密着性、弾力性、高絶縁性等の優れた特性を有するＰＤＭＳを用いている。
【００３９】
撥水膜３３は、撥水・撥油性、コーティング性、耐蝕性、耐熱性、耐約品性等を備えるフッ素含有膜であり、例えば、アモルファスフッ素樹脂を用いることができ、具体的には、サイトップ「ＣＹＴＯＰ」（旭硝子株式会社、登録商標）がある。撥水膜３３は、例えば、１μｍの厚みに設けると共に、接触角は９０°以上とする。
【００４０】
送信部２４は、駆動制御部２２と共に書込装置２の本体２０１に回転軸２６によって開閉可能に支持された蓋２５に設けられている。送信部２４は、受信部１４に対向する部位に配置されている。なお、送信部２４は、必ずしも蓋２５に設ける必要はなく、書込装置２の本体２０１から分離し、ケーブル等により本体２０１に接続したユニットの構成にしてもよい。
【００４１】
図４は、図３の受信部及び送信部の回路構成を示す。受信回路３１は、受信部１４のパッケージの表面または表面近傍に所定間隔に設けられた複数の受信コイル３１１と、受信コイル３１１のそれぞれに接続された複数の増幅器３１２とを備えて構成されている。各増幅器３１２の出力端は、行電極駆動回路１２及び列電極駆動回路１３の入力端に接続されている。なお、図４においては、図を分かり易くするため、送信部２４と受信部１４を離した状態で図示しているが、実際には図３のように、密着させた状態で使用される。
【００４２】
なお、増幅器３１２は、行電極駆動回路１２及び列電極駆動回路１３の信号線の数に対応した個数が必要になる。また、増幅器３１２と行電極駆動回路１２及び列電極駆動回路１３の間には、必要に応じて波形整形回路や閾値設定回路が挿入される。
【００４３】
送信部２４は、駆動制御部２２に接続された送信回路としての複数の送信用ＩＣ２４１と、送信用ＩＣ２４１のそれぞれに接続されると共に受信コイル３１１に対向可能に配置された複数の送信コイル２４２とを備えて構成されている。送信コイル２４２は、送信部２４のパッケージの表面又はパッケージ内の表面近傍に設けられる。
【００４４】
（画像表示システムの動作）
画像表示装置１に画像を書き込む場合、ユーザーは、画像表示装置１を書込装置２の所定位置にセットする。ついで、書込装置２の蓋２５を閉じると、図３のように、送信部２４と受信部１４が対向し、保護層３２及び撥水膜３３を介して受信コイル３１１に送信コイル２４２が上下に重なった状態になる。このとき、送信部２４の表面（下面）が撥水膜３３の表面に密着するので、保護層３２及び撥水膜３３によって、送信部２４と受信部１４の間隔は一定に保たれる。
【００４５】
ここで、駆動制御部２２から信号が送出されると、各送信用ＩＣ２４１が駆動され、それぞれに接続されている送信コイル２４２には信号に応じた電流が流れ、信号変化に応じた磁界が各送信コイル２４２に発生する。送信コイル２４２には受信コイル３１１が誘導結合されているため、送信コイル２４２に発生した磁界によって受信コイル３１１に誘導磁界が発生する。各受信コイル３１１に発生した誘導磁界は、各増幅器３１２によって増幅され、行電極駆動回路１２及び列電極駆動回路１３に印加される。
【００４６】
白色粒子１９Ａと黒色粒子１９Ｂにより２色表示を行う場合、駆動制御部２２は、画像記憶部２１に記憶された画像データに基づいて、電源回路２３を制御して直流電圧を発生させるとともに、行電極駆動回路１２にタイミング信号と選択信号を出力し、列電極駆動回路１３にタイミング信号と画像信号を出力する。行電極駆動回路１２は、駆動制御部２２からのタイミング信号と選択信号に基づいて、行電極１７２に順次選択電圧を印加する。列電極駆動回路１３は、行電極１７２への電圧印加に同期させて、画像データに応じた正又は負の電圧を列電極１６２に所定時間印加する。これにより、シート状表示媒体１１に画像が形成される。その表示内容は、電源を切っても保持される。
【００４７】
なお、送信コイル２４２及び受信コイル３１１は、相互間の距離が短くなるほど目的外のコイルとの誘導結合が発生し易くなり、混信が発生する。これを避けるためには、コイル毎に使用周波数や変調周波数を変えると共に、受信回路３１毎に必要周波数帯域のみを通過するバンドパスフィルタを設ければよい。
【００４８】
（第１の実施の形態の効果）
第１の実施の形態によれば、下記の効果を奏する。
（イ）画像表示装置１の受信回路３１の表面に保護層３２を設けたことにより、書込装置２の送信部２４と受信回路３１との間の距離を一定にすることができるため、信号伝送を安定にすることができる。
（ロ）保護層３２の表面に撥水膜３３を設けたことにより、異物付着による信号劣化を防止することができる。
（ハ）送信コイル２４２と受信コイル３１１の誘導結合により信号伝送が行われるため、画像表示装置１の受信部１４に電極パッド等を設けない構成にすることができる。これにより、接触不良を生じないようにすることができる。また、電極パッド等が不必要なため、電極パッド等の汚れや腐食に起因する接触不良が発生せず、また、汚れや腐食に対する対策も不要になる。
【００４９】
［第２の実施の形態］
図５は、本発明の第２の実施の形態に係る画像表示システムの送信部及び受信部を示す。本実施の形態は、第１の実施の形態において、受信部１４及び送信部２４を静電結合させて信号伝送を行う構成にしたものであり、その他の構成は第１の実施の形態と同様である。なお、図５においては、図を分かり易くするため、送信部２４と受信部１４を離した状態で図示しているが、実際には図３に示すように、密着させた状態で使用される。
【００５０】
図５に示すように、第２の実施の形態の受信部１４は、ＩＣ化された受信回路５０と、上記した保護層３２及び撥水膜３３とを備えて構成されている。
【００５１】
受信回路５０は、信号線の数に応じて一定間隔に受信回路５０のパッケージの表面又はパッケージ内に設けられた配線パターン等による受信用電極としての複数の電極パッド５１と、電極パッド５１のそれぞれに接続された複数の増幅器５２とを備えて構成されている。各増幅器５２の出力端は、行電極駆動回路１２及び列電極駆動回路１３に接続されている。
【００５２】
送信部２４は、送信回路としての上記送信用ＩＣ２４１と、送信用ＩＣ２４１のそれぞれに接続された送信用電極としての複数の電極パッド２４３とを備えて構成されている。電極パッド２４３は、書込装置２に画像表示装置１がセットされたとき、受信部１４の電極パッド５１に重なるように配置されている。なお、電極パッド２４３は、送信部２４のパッケージの表面又はパッケージ内の表面近傍に設けられ、保護層３２側の面が信号放射面になる。
【００５３】
以上の構成による受信部１４及び送信部２４の動作を説明すると、まず、シート状表示媒体１１に画像を書き込む場合、ユーザーは、シート状表示媒体１１を書込装置２の所定位置にセットする。ついで、書込装置２の蓋２５を閉じると、図５のように、送信部２４と受信部１４が対向し、保護層３２及び撥水膜３３を介して電極パッド２４３と電極パッド５１が上下に密着した状態になる。このとき、保護層３２及び撥水膜３３によって、送信部２４と受信部１４の間隔は一定に保たれる。
【００５４】
ここで、駆動制御部２２から信号が送出されると、送信ＩＣ用２４１のそれぞれが駆動され、各送信ＩＣ用２４１の出力電圧はそれぞれの電極パッド２４３に印加される。各電極パッド２４３と各電極パッド５１は、ペアを成すように静電結合されているため、電極パッド２４３から電極パッド５１に静電結合による信号伝送が行われる。電極パッド５１に誘電した信号は、各増幅器５２によって増幅された後、行電極駆動回路１２及び列電極駆動回路１３に印加される。これにより、書込装置２からの信号が行電極駆動回路１２及び列電極駆動回路１３に印加され、シート状表示媒体１１に画像が書き込まれる。
【００５５】
（第２の実施の形態の効果）
第２の実施の形態によれば、電極パッド２４３から電極パッド５１の静電結合によって、書込装置２から画像表示装置１へ信号伝送が行われるため、非導通により信号伝送を行うことができる。その他、第１の実施の形態と同様の効果が得られる。
【００５６】
［第３の実施の形態］
図６は、本発明の第３の実施の形態に係る画像表示装置を示す。本実施の形態は、画像表示装置１側に行電極駆動回路１２及び列電極駆動回路１３を設けず、これら回路又はその機能を書込装置２側に設け、書込装置２からの表示情報に合わせて行電極及び列電極を選択する、いわゆるパッシブ型の画像表示装置１００に図３及び図４に示した受信部１４を適用したものである。
【００５７】
図６の画像表示装置１は、２つの受信部６０Ａ，６０Ｂを有し、受信部１４Ａには列電極１６２−１〜１６２−ｎが接続され、受信部１４Ｂには行電極１７２−１〜１７２−ｎが接続されている。なお、図示しないが、書込装置２側にも、受信部６０Ａ，６０Ｂに対応して２つの送信部が存在する。具体的には、図４及び図５に示した送信部２４を２つ設けた構成になる。
【００５８】
パッシブ型の画像表示装置１は、多数の信号線が受信部６０Ａ，６０Ｂに接続されるが、図３〜図５に示した受信部１４の構成を適用することにより、任意の信号線数に対応することができる。
【００５９】
［他の実施の形態］
なお、本発明は、上記各実施の形態に限定されず、本発明の技術思想を逸脱あるいは変更しない範囲内で種々な変形が可能である。
【００６０】
例えば、シート状表示媒体１１は、光書込型電子ペーパであってもよい。この場合、対向する一対の全面電極への接続が対象になる。また、シート状表示媒体１１はトナー方式に限定されるものではなく、書込装置２との接続が必要な画像表示装置に適用可能であり、他のシート状表示媒体として、電気泳動方式、液晶表示方式等がある。また、シート状表示媒体（電子ペーパ）を用いない表示装置にも本発明を適用可能である。
【図面の簡単な説明】
【００６１】
【図１】本発明の実施の形態に係る画像表示システムを示すブロック図である。
【図２】図１のシート状表示媒体を示す断面図である。
【図３】図１の送信部及び受信部の概略を示す構成図である。
【図４】図３の送信部及び受信部の回路を示す回路図である。
【図５】本発明の第２の実施の形態に係る画像表示システムの送信部及び受信部を示す回路図である。
【図６】本発明の第３の実施の形態に係る画像表示装置の構成図である。
【符号の説明】
【００６２】
１，１００  画像表示装置
２  書込装置
１０  画像表示システム
１１  シート状表示媒体
１２  行電極駆動回路
１３  列電極駆動回路
１４  受信部
１５  セル
１６  表面基板
１７  背面基板
１８  仕切り部材
１９Ａ  白色粒子
１９Ｂ  黒色粒子
２０  接着層
２１  画像記憶部
２２  駆動制御部
２３  電源回路
２４  送信部
２５  蓋
２６  回転軸
３１  受信回路
３２  保護層
３３  撥水膜
５０  受信回路
５１  電極パッド
５２  増幅器
６０Ａ，６０Ｂ  受信部
１６１  表面基板部材
１６２  列電極
１６３  誘電体膜
１７１  背面基板部材
１７２  行電極
１７３  誘電体膜
２０１  本体
２４１  送信用ＩＣ
２４２  送信コイル
２４３  電極パッド
３１１  受信コイル
３１２   増幅器
【図１】
2008083382.tif 000003
【図２】
2008083382.tif 000004
【図３】
2008083382.tif 000005
【図４】
2008083382.tif 000006
【図５】
2008083382.tif 000007
【図６】
2008083382.tif 000008